(57)【要約】【課題】再熱除湿運転を行う場合に冷媒を円滑に循環させることができる空気調和機を提供することである。【解決手段】圧縮機３より送り出された冷媒を第三の熱交換器５、第一の熱交換器７、第二の熱交換器８、圧縮機３の順に循環させることによって再熱除湿運転を行う空気調和機２５を以下のように構成する。第一の圧力センサ１３により検知される熱交換器７の冷媒の圧力が第二の圧力センサ１４により検知される熱交換器５の冷媒の圧力より大きい場合に、送風機１６等の動作を制御し、第三の熱交換器５の冷媒の圧力が第一の熱交換器７の冷媒の圧力より大きくなるように制御を行う。【選択図】　図１
2004012111.tif 000002
【特許請求の範囲】
【請求項１】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には第三の熱交換器の冷媒と熱交換する空気を送る室外側送風機が設けられ、該室外側送風機による空気の送り量を制御するように構成されており、
前記第一の熱交換器の冷媒の圧力を検知するための第一の圧力検知手段、及び前記第三の熱交換器の冷媒の圧力を検知するための第二の圧力検知手段が設けられており、
前記第一の圧力検知手段により検知される圧力が第二の圧力検知手段により検知される圧力より大きくなると、前記室外側送風機を空気の送り量を低減させるように制御することにより、前記第三の熱交換器の冷媒の圧力を高めるように構成された空気調和機。
【請求項２】
前記第一の圧力検知手段により検知される圧力が第二の圧力検知手段により検知される圧力より大きくなると、前記室外側送風機を停止させるように構成された請求項１に記載の空気調和機。
【請求項３】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記圧縮機の回転数を制御するように構成されており、
前記第一の熱交換器の冷媒の圧力を検知するための第一の圧力検知手段及び前記第三の熱交換器の冷媒の圧力を検知するための第二の圧力検知手段が設けられており、
前記第一の圧力検知手段により検知される圧力が第二の圧力検知手段により検知される圧力より大きくなると、前記圧縮機を回転数を高めるように制御することにより、前記第三の熱交換器の冷媒の圧力を高めるように構成された空気調和機。
【請求項４】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室内機には第一の熱交換器及び第二の熱交換器の冷媒と熱交換する空気を送る室内側送風機が設けられ、該室内側送風機による空気の送り量を制御するように構成されており、
前記第一の熱交換器の冷媒の圧力を検知するための第一の圧力検知手段及び前記第三の熱交換器の冷媒の圧力を検知するための第二の圧力検知手段が設けられており、
前記第一の圧力検知手段により検知される圧力が第二の圧力検知手段により検知される圧力より大きくなると、前記室内側送風機を空気の送り量を高めるように制御することにより、前記第一の熱交換器の冷媒の圧力を低減させるように構成された空気調和機。
【請求項５】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室内機には第一の熱交換器と第二の熱交換器の間を通過する冷媒の流量を調節する第一の流量調節手段が設けられ、該第一の流量調節手段を制御するように構成されており、
前記第一の熱交換器の冷媒の圧力を検知するための第一の圧力検知手段及び前記第三の熱交換器の冷媒の圧力を検知するための第二の圧力検知手段が設けられており、
前記第一の圧力検知手段により検知される圧力が第二の圧力検知手段により検知される圧力より大きくなると、前記第一の流量調節手段を冷媒の流量を増加させるように制御することにより、前記第一の熱交換器の冷媒の圧力を低減させるように構成された空気調和機。
【請求項６】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には前記第一の熱交換器と第三の熱交換器との間を通過する冷媒の流量を調節する第二の流量調節手段が設けられ、該第二の流量調節手段を制御するように構成されており、
前記第一の熱交換器の冷媒の圧力を検知するための第一の圧力検知手段及び前記第三の熱交換器の冷媒の圧力を検知するための第二の圧力検知手段が設けられており、
前記第一の圧力検知手段により検知される圧力が第二の圧力検知手段により検知される圧力より大きくなると、前記第二の流量調節手段を冷媒の流量を低減させるように制御することにより、前記第一の熱交換器の冷媒の圧力を低減させるように構成された空気調和機。
【請求項７】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には第三の熱交換器の冷媒と熱交換する空気を送る室外側送風機が設けられ、該室外側送風機による空気の送り量を制御するように構成されており、
前記第一の熱交換器の冷媒の温度を検知するための第一の温度検知手段、及び前記第三の熱交換器の冷媒の温度を検知するための第二の温度検知手段が設けられており、
前記第一の温度検知手段により検知される温度が第二の温度検知手段により検知される温度より大きくなると、前記室外側送風機を空気の送り量を低減させるように制御することにより、前記第三の熱交換器の冷媒の圧力を高めるように構成された空気調和機。
【請求項８】
前記第一の温度検知手段により検知される温度が第二の温度検知手段により検知される温度より大きくなると、前記室外側送風機を停止させるように構成された請求項７に記載の空気調和機。
【請求項９】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記圧縮機の回転数を制御するように構成されており、
前記第一の熱交換器の冷媒の温度を検知するための第一の温度検知手段及び前記第三の熱交換器の冷媒の温度を検知するための第二の温度検知手段が設けられており、
前記第一の温度検知手段により検知される温度が第二の温度検知手段により検知される温度より大きくなると、前記圧縮機を回転数を高めるように制御することにより、前記第三の熱交換器の冷媒の圧力を高めるように構成された空気調和機。
【請求項１０】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室内機には第一の熱交換器及び第二の熱交換器の冷媒と熱交換する空気を送る室内側送風機が設けられ、該室内側送風機による空気の送り量を制御するように構成されており、
前記第一の熱交換器の冷媒の温度を検知するための第一の温度検知手段及び前記第三の熱交換器の冷媒の温度を検知するための第二の温度検知手段が設けられており、
前記第一の温度検知手段により検知される温度が第二の温度検知手段により検知される温度より大きくなると、前記室内側送風機を空気の送り量を高めるように制御することにより、前記第一の熱交換器の冷媒の圧力を低減させるように構成された空気調和機。
【請求項１１】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室内機には第一の熱交換器と第二の熱交換器の間を通過する冷媒の流量を調節する第一の流量調節手段が設けられ、この第一の流量調節手段を制御するように構成されており、
前記第一の熱交換器の冷媒の温度を検知するための第一の温度検知手段及び前記第三の熱交換器の冷媒の温度を検知するための第二の温度検知手段が設けられており、
前記第一の温度検知手段により検知される温度が第二の温度検知手段により検知される温度より大きくなると、前記第一の流量調節手段を冷媒の流量を増加させるように制御することにより、前記第一の熱交換器の冷媒の圧力を低減させるように構成された空気調和機。
【請求項１２】
第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には前記第一の熱交換器と第三の熱交換器との間を通過する冷媒の流量を調節する第二の流量調節手段が設けられ、該第二の流量調節手段を制御するように構成されており、
前記第一の熱交換器の冷媒の温度を検知するための第一の温度検知手段及び前記第三の熱交換器の冷媒の温度を検知するための第二の温度検知手段が設けられており、
前記第一の温度検知手段により検知される温度が第二の温度検知手段により検知される温度より大きくなると、前記第二の流量調節手段を冷媒の流量を低減させるように制御することにより、前記第一の熱交換器の冷媒の圧力を低減させるように構成された空気調和機。
【発明の詳細な説明】
【０００１】
【発明の属する技術分野】
本発明は、再熱除湿機能を備えた空気調和機に関する。
【０００２】
【従来の技術】
図３、４に、再熱除湿機能を備えた従来の空気調和機の系統図を示す。図３、４において、符号１は室内機、２は室外機を示す。図３に示される空気調和機では、室内機１には２つの室内側熱交換器７、８及び電磁弁１０と流量制御装置（キャピラリチューブ）１１が備えられており、室外機２には圧縮機３、四方切換弁４、室外側熱交換器５、室外側流量制御弁（膨張弁）６及びアキュムレータ９が備えられている。
【０００３】
また、図４に示される空気調和機では、図３に示される電磁弁１０と流量制御装置（キャピラリチューブ）１１の替わりに室内側流量制御弁（膨張弁）１２が設けられている。
【０００４】
図３、図４に示される空気調和機において、冷媒回路は、室内機１及び室外機２に備えられた各機器等を、複数の冷媒配管１９を用いて接続することにより構成されている。上記構成の空気調和機において、四方切換弁４を切り換えることにより、暖房運転時には冷媒を破線矢印方向に流し、冷房運転時及び再熱除湿運転時には冷媒を実線矢印方向に流すことができるようになっている。
【０００５】
また、暖房運転時及び冷房運転時には、室外側流量制御弁（膨張弁）６の開度を負荷に応じて増減すると同時に電磁弁１０（図４に示される空気調和機では室内側流量制御弁（膨張弁）１２）の開度を全開とし、再熱除湿運転時には、室外側流量制御弁（膨張弁）６の開度を全開とすると同時に電磁弁１０を全閉にし流量制御装置１１を通る流路とする（或いは、室内側流量制御弁１２の開度を負荷に応じて増減する）。
【０００６】
すなわち、暖房運転時には、すべての室内側熱交換器８、７は順に凝縮器として作用し、室外側熱交換器５は蒸発器として作用する。反対に、冷房運転時には、室外側熱交換器５は凝縮器として作用し、すべての室内側熱交換器７、８は順に蒸発器として作用する。しかし、再熱除湿運転時には、室外側熱交換器５、及び１つの室内側熱交換器７は凝縮器として作用し、もう１つの室内側熱交換器８は蒸発器として作用する。
【０００７】
次に、暖房運転時、冷房運転時及び再熱除湿運転時のそれぞれについて、動作を説明する。暖房運転時には以下のような動作をする。冷媒は、順に、圧縮機３、四方切換弁４、室内側熱交換器８、電磁弁１０（或いは室内側流量制御弁１２）、室内側熱交換器７、室外側流量制御弁（膨張弁）６、室外側熱交換器５、四方切換弁４、アキュムレータ９、圧縮機３の経路で流れる。
【０００８】
この場合、圧縮機３から吐出された高温・高圧の冷媒ガスは、四方切換弁４を経て、凝縮器として作用する室内側熱交換器８、７に入り、室内側送風機１５から送られる室内空気と熱交換して凝縮、液化することにより、室内空気を加熱し暖房を行う。
【０００９】
このように液化された冷媒は、室外側流量制御弁（膨張弁）６にて膨張して低圧状態となり、室外側熱交換器５にて、室外側送風機１６から送られる空気により加熱されて蒸発、気化する。その後、上記冷媒は、四方切換弁４を通ってアキュムレータ９に入り、ガス冷媒と液冷媒に分離されて、ガス冷媒のみが圧縮機３の吸入口に戻される。
【００１０】
一方、冷房運転時には、四方切換弁４を切り換えることにより、以下のような動作をする。冷媒は、順に、圧縮機３、四方切換弁４、室外側熱交換器５、室外側流量制御弁（膨張弁）６、室内側熱交換器７、電磁弁１０（或いは室内側流量制御弁１２）、室内側熱交換器８、四方切換弁４、アキュムレータ９、圧縮機３の経路で流れる。この場合、圧縮機３から吐出された高温・高圧の冷媒ガスは、四方切換弁４を経て室外側熱交換器５にて、室外側送風機１６から送られる空気により冷却されて凝縮、液化する。
【００１１】
さらに、上記ガス冷媒は室外側流量制御弁（膨張弁）６にて膨張して低圧状態となり、蒸発器として作用する室内側熱交換器７、８に入り、室内側送風機１５から送られる室内空気と熱交換して蒸発、気化することにより、室内空気を冷却除湿し冷房を行う。その後、上記冷媒は、四方切換弁４を通ってアキュムレータ９に入り、ガス冷媒と液冷媒に分離されて、ガス冷媒のみが圧縮機の吸入口に戻される。
【００１２】
再熱除湿運転時には、冷媒は冷房運転時と同じ実線矢印方向に流れ、以下のような動作をする。この場合、圧縮機３から吐出された高温・高圧の冷媒ガスは、四方切換弁４を経て室外側熱交換器５に入り、室外側送風機１６から送られる空気と熱交換し、さらに全開となっている室外側流量制御弁（膨張弁）６を経て、室内側熱交換器７において室内側送風機１５から送られてくる室内空気と熱交換して凝縮、液化することにより、室内空気を加熱する。
【００１３】
次いで、この液化した冷媒は、流量制御装置１１（或いは室内側流量制御弁１２）にて膨張して低圧状態となり、室内側熱交換器８において、室内側送風機１５から送られてくる室内空気と熱交換して蒸発、気化することにより、室内空気を冷却除湿する。その後、上記冷媒は、四方切換弁４を通ってアキュムレータ９に入り、ガス冷媒と液冷媒に分離されて、ガス冷媒のみが圧縮機の吸入口に戻される。
【００１４】
このように再熱除湿運転時では、室内側送風機１５により室内機１内に吸引された室内空気は、蒸発器として作用する室内側熱交換器８を通過して冷却除湿された部分と、高温の凝縮器（再熱器）として作用する室内側熱交換器７を通過して加熱された部分とが混合されることにより、温度調節され、かつ除湿された空気として室内側に吹き出される。
【００１５】
【発明が解決しようとする課題】
しかしながら、冬期など室外気温が室内温度に比べ極端に低い場合などに再熱除湿運転を行うと、室内熱交換器の再熱部の圧力（再熱温度）が、室外熱交換器（凝縮器）圧力（凝縮温度）に対し高くなってしまう場合が考えられる。特に圧縮機周波数を低周波数で立ち上げた場合などは室外熱交換器（凝縮器）から、室内熱交換器の再熱部に冷媒が円滑に流れず、サイクルが閉塞してしまう場合が考えられ、そうした場合には、圧縮機を停止せざるを得なかった。
【００１６】
また、従来技術では、室内温度センサの検知温度により、室外ファンの回転数を制御し、冷気味、等温、暖気味ドライを選択的に熟考するものがあるが、室内温度のみで、室外ファン速を制御すると、室外温度が低く、室内温度が室外に対し極端に高い場合（冬季など）でも、室外ファン速は高い回転数が選択され、これでは、室外熱交換器温度（凝縮温度）が低くなり、冷媒が円滑に流れず、再熱除湿サイクルそのものが形成できない。
【００１７】
【課題を解決するための手段】
上記課題を解決するため、本発明は、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には第三の熱交換器の冷媒と熱交換する空気を送る室外側送風機が設けられ、該室外側送風機による空気の送り量を制御するように構成されており、
前記第一の熱交換器の冷媒の圧力を検知するための第一の圧力検知手段、及び前記第三の熱交換器の冷媒の圧力を検知するための第二の圧力検知手段が設けられており、
前記第一の圧力検知手段により検知される圧力が第二の圧力検知手段により検知される圧力より大きくなると、前記室外側送風機を空気の送り量を低減させるように制御することにより、前記第三の熱交換器の冷媒の圧力を高めるように構成された空気調和機である（請求項１）。
【００１８】
この発明の空気調和機によると、再熱除湿運転を行うにあたり、第一の圧力検知手段及び第二の圧力検知手段により、第一の熱交換器の冷媒の圧力が第三の熱交換器の冷媒の圧力より大きいことが検知されると、上記室外側送風機を空気の送り量を低減させるように制御し、第三の熱交換器の冷媒の圧力を高めることができる。これにより、第三の熱交換器より第一の熱交換器に向かって冷媒を円滑に流すことができるので、冬期のように室内温度が室外温度に比べて高い場合でも、再熱除湿運転を円滑に行うことができる。
【００１９】
また、上記空気調和機において、前記第一の圧力検知手段により検知される圧力が第二の圧力検知手段により検知される圧力より大きくなると、前記室外側送風機を停止させるように構成することもできる（請求項２）。特に、第一の圧力検知手段により検知される圧力が第二の圧力検知手段により検知される圧力に比べて著しく大きい場合に、室外側送風機を停止させることにより、第三の熱交換器の冷媒の圧力を短時間に高めることができ、第三の熱交換器から第一の熱交換器に向かう冷媒の流れを確実に円滑にすることができる。
【００２０】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記圧縮機の回転数を制御するように構成し、
前記第一の熱交換器の冷媒の圧力を検知するための第一の圧力検知手段及び前記第三の熱交換器の冷媒の圧力を検知するための第二の圧力検知手段を設け、
前記第一の圧力検知手段により検知される圧力が第二の圧力検知手段により検知される圧力より大きくなると、前記圧縮機を回転数を高めるように制御することにより、前記第三の熱交換器の冷媒の圧力を高めるように構成することができる（請求項３）。
【００２１】
この発明の空気調和機によると、再熱除湿運転を行うにあたり、第一の熱交換器の冷媒の圧力が第三の熱交換器の冷媒の圧力より大きいことが検知されると、上記圧縮機の回転数を高めて第三の熱交換器の冷媒の圧力を高めるように制御するので、第三の熱交換器より第一の熱交換器に向かって冷媒を円滑に流すことができる。これにより、再熱除湿運転を円滑に行うことができる。
【００２２】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室内機に第一の熱交換器及び第二の熱交換器の冷媒と熱交換する空気を送る室内側送風機を設け、該室内側送風機による空気の送り量を制御するように構成し、
前記第一の熱交換器の冷媒の圧力を検知するための第一の圧力検知手段及び前記第三の熱交換器の冷媒の圧力を検知するための第二の圧力検知手段を設け、
前記第一の圧力検知手段により検知される圧力が第二の圧力検知手段により検知される圧力より大きくなると、前記室内側送風機を空気の送り量を高めるように制御することにより、前記第一の熱交換器の冷媒の圧力を低減させるように構成することができる（請求項４）。
【００２３】
この発明の空気調和機によると、再熱除湿運転を行うにあたり、第一の熱交換器の冷媒の圧力が第三の熱交換器の冷媒の圧力より大きいことが検知されると、室内側送風機の空気の送り量を高めて第一の熱交換器の冷媒の圧力を低減するように制御するので、第三の熱交換器より第一の熱交換器に向かって冷媒を円滑に流すことができる。これにより、再熱除湿運転を円滑に行うことができる。
【００２４】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室内機に第一の熱交換器と第二の熱交換器の間を通過する冷媒の流量を調節する第一の流量調節手段を設け、該第一の流量調節手段を制御するように構成し、
前記第一の熱交換器の冷媒の圧力を検知するための第一の圧力検知手段及び前記第三の熱交換器の冷媒の圧力を検知するための第二の圧力検知手段を設け、
前記第一の圧力検知手段により検知される圧力が第二の圧力検知手段により検知される圧力より大きくなると、前記第一の流量調節手段を冷媒の流量を増加させるように制御することにより、前記第一の熱交換器の冷媒の圧力を低減させるように構成することができる（請求項５）。
【００２５】
この発明の空気調和機によると、再熱除湿運転を行うにあたり、第一の熱交換器の冷媒の圧力が第三の熱交換器の冷媒の圧力より大きいことが検知されると、第一の流量調節手段を冷媒の流量を増加させるように制御するので、第一の熱交換器の冷媒の圧力を低減させることができ、第三の熱交換器より第一の熱交換器に向かって冷媒を円滑に流すことができる。これにより、再熱除湿運転を円滑に行うことができる。
【００２６】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室外機には前記第一の熱交換器と第三の熱交換器との間を通過する冷媒の流量を調節する第二の流量調節手段を設け、該第二の流量調節手段を制御するように構成し、
前記第一の熱交換器の冷媒の圧力を検知するための第一の圧力検知手段及び前記第三の熱交換器の冷媒の圧力を検知するための第二の圧力検知手段を設け、
前記第一の圧力検知手段により検知される圧力が第二の圧力検知手段により検知される圧力より大きくなると、前記第二の流量調節手段を冷媒の流量を低減させるように制御することにより、前記第一の熱交換器の冷媒の圧力を低減させるように構成することができる（請求項６）。
【００２７】
この発明の空気調和機によると、再熱除湿運転を行うにあたり、第一の熱交換器の冷媒の圧力が第三の熱交換器の冷媒の圧力より大きいことが検知されると、第二の流量調節手段を冷媒の流量を低減させるように制御するので、第一の熱交換器の冷媒の圧力を低減させることができ、第三の熱交換器より第一の熱交換器に向かって冷媒を円滑に流すことができる。これにより、再熱除湿運転を円滑に行うことができる。
【００２８】
また、本発明は、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成された空気調和機であって、
前記室外機には第三の熱交換器の冷媒と熱交換する空気を送る室外側送風機が設けられ、該室外側送風機による空気の送り量を制御するように構成されており、
前記第一の熱交換器の冷媒の温度を検知するための第一の温度検知手段、及び前記第三の熱交換器の冷媒の温度を検知するための第二の温度検知手段が設けられており、
前記第一の温度検知手段により検知される温度が第二の温度検知手段により検知される温度より大きくなると、前記室外側送風機を空気の送り量を低減させるように制御することにより、前記第三の熱交換器の冷媒の圧力を高めるように構成された空気調和機である（請求項７）。
【００２９】
上記冷媒の温度は各々の冷媒の圧力を反映しており、冷媒の圧力が高まると冷媒の温度も上昇するので、冷媒の温度に基づいて冷媒の圧力を制御することができる。そして、この発明の空気調和機によると、再熱除湿運転を行うにあたり、第一の温度検知手段及び第二の温度検知手段により、第一の熱交換器の冷媒の温度が第三の熱交換器の冷媒の温度より大きいことが検知されると、上記室外側送風機を空気の送り量を低減させるように制御し、第三の熱交換器の冷媒の圧力を高めることができる。
【００３０】
これにより、第三の熱交換器より第一の熱交換器に向かって冷媒を円滑に流すことができるので、冬期のように室内温度が室外温度に比べて高い場合でも、再熱除湿運転を円滑に行うことができる。
【００３１】
また、上記空気調和機において、前記第一の温度検知手段により検知される温度が第二の温度検知手段により検知される温度より大きくなると、前記室外側送風機を停止させるように構成することもできる（請求項８）。特に、第一の温度検知手段により検知される温度が第二の温度検知手段により検知される温度に比べて著しく大きい場合に、室外側送風機を停止させることにより、第三の熱交換器の冷媒の圧力を短時間に高めることができ、第三の熱交換器から第一の熱交換器に向かう冷媒の流れを確実に円滑にすることができる。
【００３２】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記圧縮機の回転数を制御するように構成し、
前記第一の熱交換器の冷媒の温度を検知するための第一の温度検知手段及び前記第三の熱交換器の冷媒の温度を検知するための第二の温度検知手段を設け、
前記第一の温度検知手段により検知される温度が第二の温度検知手段により検知される温度より大きくなると、前記圧縮機を回転数を高めるように制御することにより、前記第三の熱交換器の冷媒の圧力を高めるように構成することができる（請求項９）。
【００３３】
この発明の空気調和機によると、再熱除湿運転を行うにあたり、第一の熱交換器の冷媒の温度が第三の熱交換器の冷媒の温度より大きいことが検知されると、上記圧縮機の回転数を高めて第三の熱交換器の冷媒の圧力を高めるように制御するので、第三の熱交換器より第一の熱交換器に向かって冷媒を円滑に流すことができる。これにより、再熱除湿運転を円滑に行うことができる。
【００３４】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室内機に第一の熱交換器及び第二の熱交換器の冷媒と熱交換する空気を送る室内側送風機設け、該室内側送風機による空気の送り量を制御するように構成し、
前記第一の熱交換器の冷媒の温度を検知するための第一の温度検知手段及び前記第三の熱交換器の冷媒の温度を検知するための第二の温度検知手段を設け、
前記第一の温度検知手段により検知される温度が第二の温度検知手段により検知される温度より大きくなると、前記室内側送風機を空気の送り量を高めるように制御することにより、前記第一の熱交換器の冷媒の圧力を低減させるように構成することができる（請求項１０）。
【００３５】
この発明の空気調和機によると、再熱除湿運転を行うにあたり、第一の熱交換器の冷媒の温度が第三の熱交換器の冷媒の温度より大きいことが検知されると、室内側送風機の空気の送り量を高めて第一の熱交換器の冷媒の圧力を低減するように制御するので、第三の熱交換器より第一の熱交換器に向かって冷媒を円滑に流すことができる。これにより、再熱除湿運転を円滑に行うことができる。
【００３６】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室内機に第一の熱交換器と第二の熱交換器の間を通過する冷媒の流量を調節する第一の流量調節手段を設け、この第一の流量調節手段を制御するように構成し、
前記第一の熱交換器の冷媒の温度を検知するための第一の温度検知手段及び前記第三の熱交換器の冷媒の温度を検知するための第二の温度検知手段を設け、
前記第一の温度検知手段により検知される温度が第二の温度検知手段により検知される温度より大きくなると、前記第一の流量調節手段を冷媒の流量を増加させるように制御することにより、前記第一の熱交換器の冷媒の圧力を低減させるように構成することができる（請求項１１）。
【００３７】
この発明の空気調和機によると、再熱除湿運転を行うにあたり、第一の熱交換器の冷媒の温度が第三の熱交換器の冷媒の温度より大きいことが検知されると、第一の流量調節手段を冷媒の流量を増加させるように制御するので、第一の熱交換器の冷媒の圧力を低減させることができ、第三の熱交換器より第一の熱交換器に向かって冷媒を円滑に流すことができる。これにより、再熱除湿運転を円滑に行うことができる。
【００３８】
また、本発明の空気調和機を、第一の熱交換器及び第二の熱交換器を有する室内機と、圧縮機及び第三の熱交換器を有する室外機とを備え、冷媒を前記圧縮機、第三の熱交換器、第一の熱交換器、第二の熱交換器、圧縮機の順に循環させるように制御することによって再熱除湿運転を行うように構成するとともに、
前記室外機に前記第一の熱交換器と第三の熱交換器との間を通過する冷媒の流量を調節する第二の流量調節手段を設け、該第二の流量調節手段を制御するように構成されており、
前記第一の熱交換器の冷媒の温度を検知するための第一の温度検知手段及び前記第三の熱交換器の冷媒の温度を検知するための第二の温度検知手段を設け、
前記第一の温度検知手段により検知される温度が第二の温度検知手段により検知される温度より大きくなると、前記第二の流量調節手段を冷媒の流量を低減させるように制御することにより、前記第一の熱交換器の冷媒の圧力を低減させるように構成することができる（請求項１２）。
【００３９】
この発明の空気調和機によると、再熱除湿運転を行うにあたり、第一の熱交換器の冷媒の温度が第三の熱交換器の冷媒の温度より大きいことが検知されると、第二の流量調節手段を冷媒の流量を低減させるように制御するので、第一の熱交換器の冷媒の圧力を低減させることができ、第三の熱交換器より第一の熱交換器に向かって冷媒を円滑に流すことができる。これにより、再熱除湿運転を円滑に行うことができる。
【００４０】
【発明の実施の形態】
本発明の実施の形態について、図１、２に基づいて説明する。図１は、本発明の一の実施の形態である空気調和機２５の構成の概略を示す図である。また、図１は空気調和機２５の系統図を示している。
【００４１】
図１に示される空気調和機２５は、室内機１と室外機２を備えている。室内機１には、第一の熱交換器７、第二の熱交換器８、電磁弁１０及び流量制御装置（キャピラリチューブ）１１、室内側送風機１５、第一の圧力センサ１３（又は第一の管表温度センサ１７）が備えられている。
【００４２】
第一の熱交換器７及び第二の熱交換器８は、内部を冷媒が通過し、該冷媒が後に説明する室内側送風機１５より送られる空気と熱交換することによって、室内機１が配置される室内が暖房され、冷房され又は再熱除湿される。
【００４３】
この暖房、冷房、再熱除湿のいずれが行われるかは、空気調和機２５を暖房運転、冷房運転、再熱除湿運転のいずれに動作させるかによる熱交換器７、８内の冷媒の状態に応じて決まる。
【００４４】
電磁弁１０及び流量制御装置（キャピラリチューブ）１１は、第一の熱交換器７と第二の熱交換器８の間を通過する冷媒の流量の調節を行い、第一の流量調節
手段にあたる。
【００４５】
この電磁弁１０と流量制御装置（キャピラリチューブ）１１とは、第一の熱交換器７と第二の熱交換器８の間の冷媒の流路として並列な流路を形成している。そして、電磁弁１０を閉とすると、冷媒は流量制御装置（キャピラリチューブ）１１側の絞り流路を流れる。一方、電磁弁１０を開とすると、冷媒は、流量制御装置（キャピラリチューブ）１１側の絞り流路を通らず、電磁弁１０側のバイパス流路を流れる。
【００４６】
室内側送風機１５は、回転するファンによって空気流を形成するようにされている。そして、室内側送風機１５より室内機１内に吸い込まれた室内空気は、第一の熱交換器７及び第二の熱交換器８を通過する。室内側送風機１５より送られた空気は熱交換器７、８内の冷媒と熱交換するが、該空気が冷媒の状態に応じて加熱又は冷却除湿されることにより、室内を暖房し、冷房し又は再熱除湿することができる。
【００４７】
第一の圧力センサ１３は、第一の熱交換器７の冷媒の圧力を検知するための第一の圧力検知手段にあたる。また、第一の圧力センサ１３に代えて、第一の管表温度センサ１７を設けてもよい。この第一の管表温度センサ１７は、第一の熱交換器７の冷媒を導く配管の外表面に取り付けられ、冷媒の温度を検知するためのものである。この第一の管表温度センサ１７は、第一の温度検知手段にあたる。
【００４８】
室外機２には、圧縮機３、四方切換弁４、第三の熱交換器５、流量制御弁（膨張弁）６、アキュムレータ９、室外側送風機１６、第二の圧力センサ１４（又は第二の管表温度センサ１８）が備えられている。
【００４９】
圧縮機３は、冷媒ガスを圧縮し、高温・高圧の冷媒ガスとして送り出す。四方切換弁４は、ここに入った冷媒を所要の経路へ送るためのものである。即ち、四方切換弁４により、圧縮機３から送り出された冷媒を、暖房運転か冷房運転か再熱除湿運転かに応じて、第三の熱交換器５側又は第二の熱交換器８側の所要の経路へ送り出すことができる。また、四方切換弁４は、室内機１及び室外機２を循環して戻ってきた冷媒をアキュームレータ９へ送る。
【００５０】
アキュームレータ９は、ここに戻された冷媒をガス冷媒と液冷媒に分離し、ガス冷媒のみを圧縮機３の吸入口に戻す。
【００５１】
流量制御弁６は、第三の熱交換器５と第一の熱交換器７の間を通過する冷媒の流量の調節を行い、第二の流量調節手段にあたる。この流量制御弁６は、後に説明する再熱除湿運転においては、その開度が全開とされる。
【００５２】
室外側送風機１６は、回転するファンによって空気流を形成するようにされている。そして、室外側送風機１６より室外機２内に吸い込まれた空気は、第三の熱交換器５を通過する。熱交換器５内の冷媒は、室外側送風機１６より送られた空気と熱交換するが、その状態に応じて加熱され、又は冷却される。
【００５３】
また、第二の圧力センサ１４は、第三の熱交換器５の冷媒の圧力を検知するための第二の圧力検知手段にあたる。また、第二の圧力センサ１４に代えて、第二の管表温度センサ１８を設けてもよい。この第二の管表温度センサ１８は、第三の熱交換器５の冷媒を導く配管の外表面に取り付けられ、冷媒の温度を検知するためのものである。この第二の管表温度センサ１８は、第二の温度検知手段にあたる。
【００５４】
室内機１内及び室内機２内に配置される冷媒が通過する各機器間には複数の冷媒配管１９が配設されており、冷媒配管１９を通って各機器間を冷媒が循環する。
【００５５】
また、空気調和機２５には図１に特に図示されないコントローラが設けられており、このコントローラによって空気調和機２５の各機器が制御される。このコントローラは、演算部及び記憶部を備えており、空気調和機２５の動作の制御に必要な各種のデータ処理等を行えるように構成されている。
【００５６】
また、コントローラは、この空気調和機２５を使用する使用者の操作により、暖房運転、冷房運転又は再熱除湿運転のいずれが選択されたか設定されるようにされており、この設定に基づき暖房運転、冷房運転又は再熱除湿運転を行うように各機器の動作を制御する。
【００５７】
また、コントローラには、第一の圧力センサ１３により検知される第一の熱交換器７の冷媒の圧力のデータである第一の圧力データ、第二の圧力センサ１４により検知される第三の熱交換器５の冷媒の圧力のデータである第二の圧力データが入力されるようにされている。
【００５８】
そして、コントローラは、前記第一の圧力データと第二の圧力データとの比較に基づき、後に説明するように、室内側送風機１５、電磁弁１０及び流量制御装置１１、流量制御弁６、室外側送風機１６、及び圧縮機３を制御するようにされている。
【００５９】
また、第一の管表温度センサ１７及び第二の管表温度センサ１８が設けられる場合には、第一の管表温度センサ１７により検知される第一の熱交換器７の冷媒の温度のデータである第一の温度データ、第二の管表温度センサ１８により検知される第三の熱交換器５の冷媒の温度のデータである第二の温度データが、コントローラに入力されるようにされる。
【００６０】
そして、第一の管表温度センサ１７、第二の管表温度センサ１８が設けられる場合には、コントローラは、前記第一の温度データと第二の温度データとの比較に基づき、後に説明するように、室内側送風機１５、電磁弁１０及び流量制御装置１１、流量制御弁６、室外側送風機１６、及び圧縮機３を制御するようにされている。
【００６１】
この空気調和機２５の動作について以下に説明する。まず、空気調和機２５を暖房運転させる場合について説明する。まず、コントローラに空気調和機２５に暖房運転を行わせることが設定される。四方切換弁４が、冷媒を図１の破線矢印方向に流すように設定される。
【００６２】
また、室外機２の流量制御弁６は、その開度が負荷に応じて増減するように調節される。また、室内機１の電磁弁１０は、その開度が全開とされる。
【００６３】
そして、冷媒は、圧縮機３より高温・高圧のガス状で送り出され、四方切換弁４を通って図１に示されるように、室外機２を出て室内機１に入る。室内機１に入った冷媒は、第二の熱交換器８、電磁弁１０、第一の熱交換器７の順に通る。
【００６４】
冷媒は、第二の熱交換器８及び第一の熱交換器７を通る際に、室内側送風機１５から送られた空気と熱交換して凝縮、液化する。これにより、室内空気が加熱されて暖房が行われる。
【００６５】
第一の熱交換器７を出た冷媒は、室内機１を出て室外機２に入り、流量制御弁６に入る。この流量制御弁６を通過する際に、液化された冷媒が膨張して低圧状態とされる。
【００６６】
次に、冷媒は、流量制御弁６から第三の熱交換器５に入る。そして、第三の熱交換器５に入った冷媒は、室外側送風機１６から送られる空気により加熱されて蒸発、気化する。
【００６７】
次に、冷媒は、第三の熱交換器５を出て四方切換弁４に入る。そして、四方切換弁４に入った冷媒は、アキュームレータ９に入り、ガス冷媒と液冷媒に分離される。そして、アキュームレータ９からガス冷媒のみが圧縮機３の吸入口に戻る。
【００６８】
以上の暖房運転を行う場合には、第一の熱交換器７及び第二の熱交換器８は凝縮器として作用する。また、第三の熱交換器５は蒸発器として作用する。
【００６９】
次に、空気調和機２５を冷房運転させる場合について説明する。まず、コントローラに空気調和機２５に冷房運転を行うことが設定される。四方切換弁４が、冷媒を図１の実線矢印方向に流すように設定される。
【００７０】
また、室外機２の流量制御弁６は、その開度が負荷に応じて増減するように調整される。また、室内機１の電磁弁１０は、その開度が全開とされる。
【００７１】
そして、冷媒は、圧縮機３より高温・高圧のガス状で送り出され、四方切換弁４を通って図１に示されるように、第三の熱交換器５に入る。第三の熱交換器５に入った冷媒は、室外側送風機１６から送られる空気により冷却されて凝縮、液化する。
【００７２】
冷媒は、第三の熱交換器５を通過した後に流量制御弁６に入る。そして、冷媒は、流量制御弁６を通過する際に膨張して低圧状態とされる。そして、流量制御弁６を出た冷媒は、室外機２を出て室内機１へ入る。室内機１へ入った冷媒は、第一の熱交換器７、電磁弁１０、第二の熱交換器８の順に通る。
【００７３】
冷媒は、第一の熱交換器７及び第二の熱交換器８を通る際に、室内側送風機１５から送られた空気と熱交換して蒸発、気化する。これにより、室内空気が冷却除湿され冷房が行われる。
【００７４】
次に、第二の熱交換器８を出た冷媒は、室内機１を出て室外機２に入る。室外機２に入った冷媒は、四方切換弁４を通ってアキュムレータ９に入り、ガス冷媒と液冷媒に分離されて、ガス冷媒のみが圧縮機３の吸入口に戻る。
【００７５】
以上の冷房運転を行う場合には、第一の熱交換器７及び第二の熱交換器８は蒸発器として作用する。また、第三の熱交換器５は凝縮器として作用する。
【００７６】
次に、空気調和機２５を再熱除湿運転させる場合について説明する。まず、コントローラに空気調和機２５に再熱除湿運転を行うことが設定される。四方切換弁４が、冷媒を図１の実線矢印方向に流すように設定される。
【００７７】
また、室外機２の流量制御弁６は、その開度が全開とされるように調整される。また、室内機１の電磁弁１０は全閉とされ、冷媒が流量制御装置１１を通るように調整される。
【００７８】
そして、冷媒は、圧縮機３より高温・高圧のガス状で送り出され、四方切換弁４を通って図１に示されるように、第三の熱交換器５に入る。第三の熱交換器５に入った冷媒は、室外側送風機１６から送られる空気と熱交換する。
【００７９】
冷媒は、さらに第三の熱交換器５を通って流量制御弁６を通り、室外機２を出て室内機１に入る。そして、冷媒は、室内機１の第一の熱交換器７に入り、室内側送風機１５から送られた空気と熱交換して凝縮、液化する。これにより、室内空気が加熱される。次に、液化した冷媒は、第一の熱交換器７から流量制御装置１１に入り、膨張して低圧状態となる。そして、冷媒は、第二の熱交換器８に入り、室内側送風機１５から送られる室内空気と熱交換して蒸発、気化する。これにより、室内空気が冷却除湿される。
【００８０】
その後、冷媒は、第二の熱交換器８より室外機２へと入り、四方切換弁４を通ってアキュームレータ９に入る。そして、冷媒は、アキュームレータ９でガス冷媒と液冷媒に分離され、ガス冷媒のみが圧縮機３の吸入口に戻される。
【００８１】
この再熱除湿運転を行う場合には、第一の熱交換器７は高温の凝縮器（再熱器）として作用し、第二の熱交換器８は蒸発器として作用する。これにより、室内側送風機１５から送られた空気を、第一の熱交換器７により加熱し、かつ第二の熱交換器８により冷却除湿することにより、除湿された空気とすることができる。
【００８２】
この空気調和機２５は、以上の再熱除湿運転を行う場合に、コントローラにより以下に説明する第一の制御モード乃至第五の制御モードが実行される。
【００８３】
まず、第一の圧力センサ１３及び第二の圧力センサ１４が設けられる場合について説明する。以下に説明する制御モードは、第一の圧力データ（第一の圧力センサ１３により検知される第一の熱交換器７の冷媒の圧力）と第二の圧力データ（第二の圧力センサ１４により検知される第三の熱交換器５の冷媒の圧力）とに基づいて実行される。
【００８４】
（１）第一の制御モード
第一の圧力データが第二の圧力データより大きい場合には、室外側送風機１６のファンの回転数を低減し、室外側送風機１６の空気の送り量を低減させる制御が実行される。
これにより、第三の熱交換器５内を通過する冷媒の圧力を高めることができ、第三の熱交換器５から第一の熱交換器７に向かう冷媒の流れを円滑にすることができる。
また、第一の圧力データが第二の圧力データより著しく大きい場合には、室外側送風機１６を停止させると、第三の熱交換器５内を通過する冷媒の圧力をより短時間に高めることができ、第三の熱交換器５から第一の熱交換器７に向かう冷媒の流れを短時間で確実に円滑にすることができるので、より好ましい。
【００８５】
（２）第二の制御モード
第一の圧力データが第二の圧力データより大きい場合には、圧縮機３の回転数を高める制御が実行される。これにより、圧縮機３より送り出される冷媒の圧力を高めることができるので、第三の熱交換器５内を通過する冷媒の圧力を高めて、第三の熱交換器５から第一の熱交換器７に向かう冷媒の流れを円滑にすることができる。
【００８６】
（３）第三の制御モード
第一の圧力データが第二の圧力データより大きい場合には、室内側送風機１５のファンの回転数を高め、室内側送風機１５の空気の送り量を増加させる制御が実行される。これにより、第一の熱交換器７内を通過する冷媒の圧力を低くすることができ、第三の熱交換器５から第一の熱交換器７に向かう冷媒の流れを円滑にすることができる。
【００８７】
（４）第四の制御モード
第一の圧力データが第二の圧力データより大きい場合には、電磁弁１０が開にされ、冷媒が流量制御装置１１を通らず電磁弁１０側を通るよう制御される。これにより、第一の熱交換器７から第二の熱交換器８への冷媒の流量を増加させ、第一の熱交換器７内を通過する冷媒の圧力を低くすることができる。
これにより、第三の熱交換器５から第一の熱交換器７に向かう冷媒の流れを円滑にすることができる。
【００８８】
（５）第五の制御モード
第一の圧力データが第二の圧力データより大きい場合には、流量制御弁６が一時的に絞られ、第三の熱交換器５から第一の熱交換器７に流れる冷媒の流量を低減させる制御が行われる。これにより、第一の熱交換器７内を通過する冷媒の圧力を低くすることができ、第三の熱交換器５から第一の熱交換器７に向かう冷媒の流れを円滑にすることができる。
【００８９】
次に、第一の圧力センサ１３及び第二の圧力センサ１４に代えて第一の管表温度センサ１７及び第二の管表温度センサ１８が設けられる場合には、上記制御モードは以下のように実行される。
【００９０】
第一の制御モード乃至第五の制御モードは、第一の温度データ（第一の管表温度センサ１７により検知される第一の熱交換器７の冷媒の温度）と第二の温度データ（第二の管表温度センサ１８により検知される第三の熱交換器５の冷媒の温度）とに基づいて実行される。
【００９１】
（１）第一の制御モード
第一の温度データが第二の温度データより大きい場合には、室外側送風機１６のファンの回転数を低減し、室外側送風機１６の空気の送り量を低減させる制御が実行される。これにより、第三の熱交換器５内を通過する冷媒の圧力を高めることができ、第三の熱交換器５から第一の熱交換器７に向かう冷媒の流れを円滑にすることができる。
また、第一の温度データが第二の温度データより著しく大きい場合には、室外側送風機１６を停止させると、第三の熱交換器５内を通過する冷媒の圧力をより短時間に高めることができ、第三の熱交換器５から第一の熱交換器７に向かう冷媒の流れを短時間で確実に円滑にすることができ、より好ましい。
【００９２】
（２）第二の制御モード
第一の温度データが第二の温度データより大きい場合には、圧縮機３の回転数を高める制御が実行される。これにより、圧縮機３より送り出される冷媒の圧力を高めることができるので、第三の熱交換器５内を通過する冷媒の圧力を高めて、第三の熱交換器５から第一の熱交換器７に向かう冷媒の流れを円滑にすることができる。
【００９３】
（３）第三の制御モード
第一の温度データが第二の温度データより大きい場合には、室内側送風機１５のファンの回転数を高め、室内側送風機１５の空気の送り量を増加させる制御が実行される。これにより、第一の熱交換器７内を通過する冷媒の圧力を低くすることができ、第三の熱交換器５から第一の熱交換器７に向かう冷媒の流れを円滑にすることができる。
【００９４】
（４）第四の制御モード
第一の温度データが第二の温度データより大きい場合には、電磁弁１０が開にされ、冷媒が流量制御装置１１を通らず電磁弁１０側を通るよう制御される。これにより、第一の熱交換器７から第二の熱交換器８への冷媒の流量を増加させ、第一の熱交換器７内を通過する冷媒の圧力を低くすることができる。これにより、第三の熱交換器５から第一の熱交換器７に向かう冷媒の流れを円滑にすることができる。
【００９５】
（５）第五の制御モード
第一の温度データが第二の温度データより大きい場合には、流量制御弁６が一時的に絞られ、第三の熱交換器５から第一の熱交換器７に流れる冷媒の流量を低減させる制御が行われる。これにより、第一の熱交換器７内を通過する冷媒の圧力を低くすることができ、第三の熱交換器５から第一の熱交換器７に向かう冷媒の流れを円滑にすることができる。
この冷媒の温度に基づき上記制御モードを実行する場合、冷媒の圧力が上昇すると冷媒の温度が上昇し、冷媒の温度に冷媒の圧力が反映されるので、冷媒の温度を検知して冷媒の圧力を制御することができる。
【００９６】
以上に説明した第一の制御モード乃至第五の制御モードは、第一の圧力データ及び第二の圧力データに基づき上記制御を行う場合、第一の温度データ及び第二の温度データに基づき上記制御を行う場合のいずれの場合についても、５つの制御モードのいずれか一つを単独で実行することができ、また複数を任意に組み合わせて実行することもできる。
【００９７】
次に、本発明の他の実施の形態について説明する。図２は、本発明の他の実施形態である空気調和機２７の構成の概略を示す図である。また、図２は空気調和機２７の系統図を示している。
【００９８】
空気調和機２７は、第一の熱交換器７と第二の熱交換器８との間の冷媒の流量を調節する第一の流量調節手段が流量制御弁（膨張弁）１２により構成されている。空気調和機２７は、第一の流量調節手段を除き、以上に説明した空気調和機２５と同じ構成とされる。
【００９９】
そして、室内機１の流量制御弁１２は、暖房運転、冷房運転、再熱除湿運転の各場合について、以下のように制御される。流量制御弁１２は、暖房運転及び冷房運転を行う場合には、その開度が全開とされる。また、流量制御弁１２は、再熱除湿運転を行う場合には、その開度は負荷に応じて増減される。
【０１００】
また、この空気調和機２７についても、以上に説明した再熱除湿運転を行う場合の第一の制御モード乃至第五の制御モードを実行することができる。そして、上記第四の制御モードを実行する場合には、室内機１の流量制御弁１２は全開とされる。
【０１０１】
なお、以上の説明では、第一の熱交換器７や第三の熱交換器５の冷媒の温度を検知して以上の制御モードを実行するにあたり、第一の温度検知手段として第一の管表温度センサ１７を設け、第二の温度検知手段として第二の管表温度センサ１８を設けた。
【０１０２】
この第一の温度検知手段及び第二の温度検知手段を設けて上記制御モードを実行するにあたり、上記熱交換器に直接取り付ける管表温度センサを用いる必要はなく、冷媒の温度を何らか検知して上記制御モードを実行できればよい。
【０１０３】
例えば、第一の温度検知手段を室内機１の室内側送風機１５の吸込部に取り付けた室内温度センサにより構成し、第二の温度検知手段を室外機２の室外側送風機５の吸込口に取り付けた室外温度センサにより構成することができる。そして、前記室内温度センサにより検知される室内温度と室外温度センサにより検知される室外温度との差異が所定値以上となった場合に、上記制御モードを実行するようにするのであってもよい。
【０１０４】
【発明の効果】
以上に説明したように、本発明の空気調和機によると、室外機に備わる第三の熱交換器から室内機に備わる第一の熱交換器に向かって冷媒を循環させて実行される再熱除湿運転を行うにあたり、第一の熱交換器の冷媒の圧力と第三の熱交換器の冷媒の圧力との差に基づき、第一の熱交換器側の冷媒の圧力が高くならないよう各機器の動作が制御される。
【０１０５】
これにより、第三の熱交換器から第一の熱交換器に向かって冷媒を円滑に循環させることができ、室内温度が室外温度に比べて高くなる冬期においても再熱除湿運転を円滑に行うことができる。
【図面の簡単な説明】
【図１】本発明にかかる空気調和機の一の実施形態の概略構成を示す図である。
【図２】本発明にかかる空気調和機の他の実施形態の概略構成を示す図である。
【図３】従来の空気調和機の一例を示す図ある。
【図４】従来の空気調和機の他の例を示す図である。
【符号の説明】
１　　　室内機
２　　　室外機
３　　　圧縮機
４　　　四方切換弁
５　　　第三の熱交換器（室外側熱交換器）
６　　　室外側流量制御弁（膨張弁）
７　　　第一の熱交換器（第一の室内側熱交換器）
８　　　第二の熱交換器（第二の室内側熱交換器）
９　　　アキュムレータ
１０　　　電磁弁
１１　　　流量制御装置（キャピラリチューブ）
１２　　　室内側流量制御弁（膨張弁）
１３　　　第一の圧力センサ（室内側圧力センサ）
１４　　　第二の圧力センサ（室外側圧力センサ）
１５　　　室内側送風機
１６　　　室外側送風機
１７　　　第一の管表温度センサ（室内側管表温度センサ）
１８　　　第二の管表温度センサ（室外側管表温度センサ）
１９　　　冷媒配管
２５　　　空気調和機（一の実施の形態）
２７　　　空気調和機（他の実施の形態）
【図１】
2004012111.tif 000003
【図２】
2004012111.tif 000004
【図３】
2004012111.tif 000005
【図４】
2004012111.tif 000006